(57)【要約】【課題】電気エネルギを必要としない海水淡水化装置を提供する。【解決手段】海水から塩分を除去して淡水を取り出す海水淡水化装置１００は、波力によって動作するフラッパ１１と、フラッパ１１の動作によって駆動されて海水中に設けられる給水口１３からポンプ作用によって海水を吸い上げる水圧ポンプ１２と、水圧ポンプ１２によって吸い上げられた海水の一部が通過する際にこの海水から塩分を除去して淡水化する逆浸透膜５と、を備える。【選択図】図１
2016022460.tif 000002
【特許請求の範囲】
【請求項１】
海水から塩分を除去して淡水を取り出す海水淡水化装置であって、
波力によって動作する可動部と、
前記可動部の動作によって駆動されて海水中に設けられる給水口からポンプ作用によって海水を吸い上げる給水器と、
前記給水器によって吸い上げられた海水の一部が通過する際にこの海水から塩分を除去して淡水化する逆浸透膜と、を備えることを特徴とする海水淡水化装置。
【請求項２】
前記逆浸透膜を通過しなかった濃縮海水によって駆動される水圧モータと、
前記水圧モータによって駆動されて発電する発電機と、を更に備えることを特徴とする請求項１に記載の海水淡水化装置。
【請求項３】
前記給水器は、波力によって前記可動部が揺動することで回転駆動され前記給水口から吸い込んだ海水を吐出する水圧ポンプ、又は波力によって前記可動部が揺動することで伸縮し前記給水口から吸い込んだ海水を排出する水圧シリンダであることを特徴とする請求項１又は２に記載の海水淡水化装置。
【発明の詳細な説明】
【技術分野】
【０００１】
本発明は、海水から塩分を除去した淡水を取り出す海水淡水化装置に関するものである。
【背景技術】
【０００２】
従来から、水圧ポンプによって加圧された海水を、塩分を除去する逆浸透膜に送り、淡水を取り出す海水淡水化装置が用いられている。
【０００３】
特許文献１には、逆浸透膜によって濾過されずに排出される海水の圧力によって回転駆動される水圧モータを備える海水淡水化装置が開示されている。この海水淡水化装置では、水圧ポンプの回転軸に直結される駆動軸を有する駆動モータと、排出される海水のエネルギによって回転駆動される水圧モータとによって水圧ポンプを駆動している。
【先行技術文献】
【特許文献】
【０００４】
【特許文献１】特開２０１１−８３７４１号公報
【発明の概要】
【発明が解決しようとする課題】
【０００５】
しかしながら、特許文献１に記載の海水淡水化装置では、海水から淡水を取り出す際に、水圧ポンプを駆動モータで駆動するため、電気エネルギを必要とする。
【０００６】
本発明は、上記の問題点に鑑みてなされたものであり、電気エネルギを必要としない海水淡水化装置を提供することを目的とする。
【課題を解決するための手段】
【０００７】
本発明は、海水から塩分を除去して淡水を取り出す海水淡水化装置であって、波力によって動作する可動部と、前記可動部の動作によって駆動されて海水中に設けられる給水口からポンプ作用によって海水を吸い上げる給水器と、前記給水器によって吸い上げられた海水の一部が通過する際にこの海水から塩分を除去して淡水化する逆浸透膜と、を備えることを特徴とする。
【発明の効果】
【０００８】
本発明では、波力によって可動部が動作すると、その動作によって給水器が駆動される。そして、給水器のポンプ作用によって海水が吸い上げられ、逆浸透膜へと供給される。したがって、自然エネルギを利用して海水を汲み上げることができるため、電気エネルギを必要としない海水淡水化装置を提供することができる。
【図面の簡単な説明】
【０００９】
【図１】本発明の第一の実施の形態に係る海水淡水化装置の構成図である。
【図２】本発明の第二の実施の形態に係る海水淡水化装置の構成図である。
【発明を実施するための形態】
【００１０】
以下、図面を参照して、本発明の実施の形態について説明する。
【００１１】
（第一の実施の形態）
以下、図１を参照して、本発明の第一の実施の形態に係る海水淡水化装置１００について説明する。
【００１２】
まず、図１を参照して、海水淡水化装置１００の全体構成について説明する。
【００１３】
海水淡水化装置１００は、海水から塩分を除去して淡水を取り出す装置である。海水淡水化装置１００は、波力によって動作する可動部としてのフラッパ１１と、フラッパ１１の動作によって駆動されてポンプ作用によって海水を吸い上げる給水器としての水圧ポンプ１２と、水圧ポンプ１２から吐出された海水の一部が通過する際にこの海水から塩分を除去して淡水化する逆浸透膜５と、を備える。
【００１４】
フラッパ１１の基端は、水圧ポンプ１２の回転軸に固定される。フラッパ１１の自由端は、海水中から海水面上に突出して設けられる。フラッパ１１は、波力によって揺動する。これに限らず、海上に浮かんでいて波力によって上下動する浮体など、波力によって動作する他のものを可動部として用いてもよい。
【００１５】
水圧ポンプ１２は、海水中に配設される。そのため、水圧ポンプ１２や供給通路３の配管等には、防錆性の高いステンレス鋼などが使用される。水圧ポンプ１２は、海水中に設けられる給水口１３から吸い込んだ海水を供給通路３に吐出する。水圧ポンプ１２は、フラッパ１１が一方向に揺動したときに順方向に回転駆動され、フラッパ１１が他方向に揺動したときに逆方向に回転駆動される。水圧ポンプ１２には、順方向と逆方向とのいずれに回転駆動された場合にも給水口１３から吸い込んだ海水を供給通路３に吐出可能なブリッヂ回路１４が設けられる。
【００１６】
ブリッヂ回路１４は、フラッパ１１が一方向（図１では右方向）に揺動したときに給水口１３を通じて水圧ポンプ１２に吸い込まれる海水によって開かれる逆止弁１４ａと、水圧ポンプ１２から吐出される圧縮海水によって開かれる逆止弁１４ｂと、を備える。また、ブリッヂ回路１４は、フラッパ１１が他方向（図１では左方向）に揺動したときに給水口１３を通じて水圧ポンプ１２に吸い込まれる海水によって開かれる逆止弁１４ｃと、水圧ポンプ１２から吐出される圧縮海水によって開かれる逆止弁１４ｄと、を備える。
【００１７】
逆浸透膜５は、水を通す一方、塩類など水以外の不純物を透過させない性質を持つ濾過膜である。逆浸透膜５の上流には、水圧ポンプ１２から吐出された海水が導かれる上流側室６が設けられる。逆浸透膜５の下流には、下流側室７が設けられる。下流側室７は、淡水を貯水可能な淡水タンク（図示省略）に淡水通路８を介して連結される。
【００１８】
上流側室６には、供給通路３と、逆浸透膜５によって濾過されなかった濃縮海水を還流する排出通路４とが連結される。排出通路４は、供給通路３と比較して下流の位置にて上流側室６と連結される。これにより、供給通路３から上流側室６に供給された海水のうち、逆浸透膜５によって濾過されなかった濃縮海水は、排出通路４を通じて海へと還流される。
【００１９】
海水淡水化装置１００は、逆浸透膜５を通過しないで還流される濃縮海水によって駆動される水圧モータ２１と、水圧モータ２１によって駆動されて発電する発電機２３と、を備える。
【００２０】
水圧モータ２１は、排出通路４に設けられる。水圧モータ２１は、上流側室６から排出された濃縮海水の圧力によって回転し、発電機２３を回転駆動する。水圧モータ２１には、その回転速度を検出する回転速度検出器２２が設けられる。
【００２１】
発電機２３は、濃縮海水の圧力を電気エネルギに変換して送電通路２４を通じて取り出す。発電機２３によって発電された電気は、蓄電部（図示省略）に蓄電される。
【００２２】
海水淡水化装置１００は、水圧ポンプ１２によって吸い上げられた海水の圧力変動を安定させるアキュムレータ３１と、水圧ポンプ１２によって吸い上げられた海水の流量を調整する流量調整バルブ３２と、流量調整バルブ３２を開閉制御するコントローラ３０と、を備える。
【００２３】
アキュムレータ３１は、水圧ポンプ１２から吐出される圧縮海水の脈動を吸収する。具体的には、アキュムレータ３１は、フラッパ１１の揺動速度が比較的速い場合に、水圧ポンプ１２から吐出された圧縮海水のうち余剰分を畜圧する。一方、アキュムレータ３１は、フラッパ１１の揺動速度が比較的遅い場合に、予め畜圧されている圧縮海水を供給通路３に合流させる。これにより、供給通路３から逆浸透膜５に供給される圧縮海水の圧力を略一定に調整することができる。
【００２４】
流量調整バルブ３２は、ソレノイド３２ａによって開閉される。ソレノイド３２ａは、コントローラ３０によって切換制御される。流量調整バルブ３２は、供給通路３から逆浸透膜５に供給される圧縮海水の流量を調整する。
【００２５】
流量調整バルブ３２は、水圧ポンプ１２と逆浸透膜５との間に配設される。これに限らず、水圧モータ２１に供給される濃縮海水の流量を調整できればよいため、流量調整バルブ３２を逆浸透膜５と水圧モータ２１との間に配設してもよい。
【００２６】
コントローラ３０は、ＣＰＵ（中央演算処理装置）、ＲＯＭ（リードオンリメモリ）、ＲＡＭ（ランダムアクセスメモリ）、及びＩ／Ｏインターフェース（入出力インターフェース）を備えたマイクロコンピュータで構成される。ＲＡＭはＣＰＵの処理におけるデータを記憶し、ＲＯＭはＣＰＵの制御プログラム等を予め記憶し、Ｉ／Ｏインターフェースは接続された機器との情報の入出力に使用される。
【００２７】
コントローラ３０には、水圧モータ２１の回転速度検出器２２から回転速度に応じた電気信号が入力される。コントローラ３０は、回転速度検出器２２が検出した水圧モータ２１の回転速度と、発電機２３が発電する必要のある電力量に応じて設定される目標回転数と、に基づいてソレノイド３２ａを切り換える。
【００２８】
なお、海水淡水化装置１００では、フラッパ１１，水圧ポンプ１２，給水口１３，及びブリッヂ回路１４は、海水中に設けられ、それ以外の構成は、陸上又は海上に設けられる。
【００２９】
次に、海水淡水化装置１００の作用について説明する。
【００３０】
波力によってフラッパ１１が揺動すると、水圧ポンプ１２は、給水口１３からポンプ作用によって海水を汲み上げて吐出する。このとき、水圧ポンプ１２は、フラッパ１１が揺動する方向に応じて順方向と逆方向とに交互に圧縮海水を吐出するが、ブリッヂ回路１４が設けられるため、いずれの方向に吐出された圧縮海水も供給通路３へ導かれる。
【００３１】
水圧ポンプ１２から吐出された圧縮海水の圧力が必要な圧力よりも低い場合には、アキュムレータ３１に予め畜圧されていた圧縮海水が供給通路３を流れる圧縮海水に合流する。一方、水圧ポンプ１２から吐出された圧縮海水の圧力が必要な圧力よりも高い場合には、圧縮海水のうち余剰分をアキュムレータ３１に畜圧する。これにより、水圧ポンプ１２から吐出される圧縮海水の脈動が吸収される。
【００３２】
ソレノイド３２ａに電気信号が入力されて流量調整バルブ３２が開状態に切り換えられると、供給通路３を流れる圧縮海水が逆浸透膜５の上流側室６に供給される。上流側室６に供給された海水は、供給通路３から排出通路４に向かって、逆浸透膜５に沿って流れる。
【００３３】
水圧ポンプ１２の吐出圧によって上流側室６内の水圧が上昇すると、海水の一部が逆浸透膜５を通過する。このとき、逆浸透膜５は、海水中の塩類などの不純物を透過させないで濾過する。逆浸透膜５によって濾過された透過水は、下流側室７から淡水通路８を通じて取り出され、淡水タンクに貯水される。これにより、海水から塩類などの不純物を除去して淡水を精製することができる。
【００３４】
このように、波力によってフラッパ１１が動作すると、その動作によって水圧ポンプ１２が駆動される。そして、水圧ポンプ１２のポンプ作用によって海水が吸い上げられ、逆浸透膜５へと供給される。したがって、自然エネルギを利用して海水を汲み上げることができるため、海水淡水化装置１００は、電気エネルギを必要としない。
【００３５】
上流側室６では、供給通路３から排出通路４に向けて海水が常に流れているため、不純物の滞留が防止される。また、上流側室６内では、海水が逆浸透膜５に沿って流れるため、逆浸透膜５に不純物が付着することが防止される。
【００３６】
逆浸透膜５によって濾過されなかった濃縮海水は、上流側室６から排出通路４を通じて海中に還流される。このとき、排出通路４を流れる濃縮海水によって、水圧モータ２１が回転駆動される。
【００３７】
水圧モータ２１が回転すると、発電機２３が回転駆動される。これにより、海水淡水化装置１００では、海水を淡水化するだけでなく、発電をすることもできる。
【００３８】
波力発電では、波力を利用して油圧ポンプが作動油を吐出し、その作動油によって油圧モータを回転駆動するのが一般的である。これに対して、海水淡水化装置１００では、波力を利用して水圧ポンプ１２が圧縮海水を吐出し、その圧縮海水によって水圧モータ２１を回転駆動する。よって、作動油を使用しないため、作動油の交換などのメンテナンスが不要となる。また、作動油を使用する場合に海水の汚染を防止するために必要な高度な漏れ対策や衛生対策等の必要もなくなる。したがって、装置全体の小型化及びコストダウンが可能である。
【００３９】
以上の第一の実施の形態によれば、以下に示す効果を奏する。
【００４０】
波力によってフラッパ１１が動作すると、その動作によって水圧ポンプ１２が駆動される。そして、水圧ポンプ１２のポンプ作用によって海水が吸い上げられ、逆浸透膜５へと供給される。したがって、自然エネルギを利用して海水を汲み上げることができるため、海水淡水化装置１００は、電気エネルギを必要としない。
【００４１】
水圧モータ２１が回転すると、発電機２３が回転駆動される。これにより、海水淡水化装置１００では、海水を淡水化するだけでなく、発電をすることもできる。
【００４２】
これにより、例えば、電力の供給網が整備されていない離島や、災害によって一時的に電力の供給が困難となった被災地などで、波力エネルギによって淡水と電気とを供給することが可能となる。したがって、離島では、生活インフラの提供が可能となり、被災地では、非常用の水と電気とを確保することが可能となる。
【００４３】
（第二の実施の形態）
以下、図２を参照して、本発明の第二の実施の形態に係る海水淡水化装置２００について説明する。なお、第二の実施の形態では、前述した第一の実施の形態と同様の構成には同一の符号を付し、重複する説明は適宜省略する。
【００４４】
第二の実施の形態は、水圧ポンプ１２に代えて水圧シリンダ２１２が給水器として適用される点で、第一の実施の形態とは相違する。
【００４５】
海水淡水化装置２００は、波力によって動作する可動部としてのフラッパ２１１と、フラッパ２１１の動作によって駆動されてポンプ作用によって海水を吸い上げる給水器としての水圧シリンダ２１２と、水圧シリンダ２１２から排出された海水の一部が通過する際に塩分を除去して淡水化する逆浸透膜５と、を備える。
【００４６】
フラッパ２１１の基端は、海底に回動可能に固定される。フラッパ２１１の自由端は、海水中から海水面上に突出して設けられる。フラッパ２１１は、波力によって揺動する。
【００４７】
水圧シリンダ２１２は、シリンダ本体２１２ａと、シリンダ本体２１２ａ内にピストン側室２１２ｃ及びロッド側室２１２ｄを画成するピストン２１２ｂと、ピストン２１２ｂに連結されてシリンダ本体２１２ａの外部へ延在するピストンロッド２１２ｅと、を備える。
【００４８】
水圧シリンダ２１２は、波力によってフラッパ２１１が揺動することで伸縮し、給水口１３からポンプ作用によってピストン側室２１２ｃ又はロッド側室２１２ｄに吸い込まれた海水を供給通路３に排出する。
【００４９】
シリンダ本体２１２ａは、海底に回動可能に固定される。ピストンロッド２１２ｅは、フラッパ２１１に連結される。これにより、フラッパ２１１が揺動すると、ピストンロッド２１２ｅが伸縮する。
【００５０】
なお、海水淡水化装置２００では、フラッパ２１１，水圧シリンダ２１２，給水口１３，及びブリッヂ回路１４は、海水中に設けられ、それ以外の構成は、陸上又は海上に設けられる。
【００５１】
フラッパ２１１が一方向（図２では右方向）に揺動すると、給水口１３から逆止弁１４ａを通じてピストン側室２１２ｃに海水が吸い込まれるとともに、ロッド側室２１２ｄ内の海水が逆止弁１４ｂを通じて供給通路３に供給される。一方、フラッパ２１１が他方向（図２では左方向）に揺動すると、給水口１３から逆止弁１４ｃを通じてロッド側室２１２ｄに海水が吸い込まれるとともに、ピストン側室２１２ｃ内の海水が逆止弁１４ｄを通じて供給通路３に供給される。
【００５２】
このように、第二の実施の形態によれば、波力によってフラッパ２１１が動作すると、その動作によって水圧シリンダ２１２が伸縮する。そして、水圧シリンダ２１２のポンプ作用によって海水が吸い上げられ、逆浸透膜５へと供給される。よって、水圧シリンダ２１２を用いた場合にも、水圧ポンプ１２を用いた場合と同様に、自然エネルギを利用して海水を汲み上げることができる。したがって、海水淡水化装置２００もまた、海水淡水化装置１００と同様の効果を奏する。
【００５３】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００５４】
１００    海水淡水化装置
２００    海水淡水化装置
３        供給通路
４        排出通路
５        逆浸透膜
１１      フラッパ（可動部）
１２      水圧ポンプ（給水器）
１３      給水口
１４      ブリッヂ回路
２１      水圧モータ
２３      発電機
３２      流量調整バルブ
２１１    フラッパ（可動部）
２１２    水圧シリンダ（給水器）
【図１】
2016022460.tif 000003
【図２】
2016022460.tif 000004